(57)【特許請求の範囲】
【請求項１】
水中ポンプによってノズルケース内に吐出される汚水に、ノズルケース内に供給される空気が混合されて、ディフューザーを介して汚水内に拡散させるようになった曝気装置と、
この曝気装置を上下方向に沿って案内するように、汚水槽内に上下方向に沿って配置されたガイドパイプと、
このガイドパイプの下端部を支持するように汚水槽の底部に配置されており、前記曝気装置のノズルケースが据え付けられる据付台とを具備し、
前記ガイドパイプは、内部を空気が通流するように構成されており、そのガイドパイプ内を通流する空気が、前記据付台に設けられた通気路を介して、据付台に据え付けられた曝気装置のノズルケース内に供給されるようになっていることを特徴とする曝気システム。
【発明の詳細な説明】
【０００１】
【発明の属する技術分野】
本発明は、汚水槽内の汚水を曝気装置によって曝気処理する曝気システムに関し、特に、曝気装置が汚水槽に容易に着脱されるようになった曝気システムに関する。
【０００２】
【従来の技術】
下水等の汚水が貯留される汚水槽では、曝気装置によって汚水を浄化することが行われている。曝気装置は、汚水槽内に配置される水中ポンプによって汚水をノズルケース内に吐出する際に、ノズルケースに供給される空気が汚水に混合されて、ディフューザーを介して、汚水槽内の汚水中に拡散させるようになっている。ノズルケースには、給気ホースが接続されており、この給気ホースによってノズルケースに空気が供給される。
【０００３】
また、最近では、汚水槽内に配置される曝気装置の異物の詰まり除去等のメンテナンスを容易にするために、汚水槽内に配置された一対のガイドパイプに沿って曝気装置全体（ノズルケース、ディフューザーを含む）を昇降させるようにシステム化されており、各ガイドパイプに沿って下降させることによって、汚水槽に据え付けられるようになっている。
【０００４】
【発明が解決しようとする課題】
このような曝気システムでは、曝気装置を各ガイドパイプに沿って昇降させる際に、曝気装置のノズルケースに接続された給気ホースも曝気装置とともに昇降させなければならず、曝気装置の昇降作業が煩雑になるおそれがある。
【０００５】
本発明は、このような問題を解決するものであり、その目的は、汚水槽内における曝気装置の昇降作業を容易することができる曝気システムを提供することにある。
【０００６】
【課題を解決するための手段】
本発明の曝気システムは、水中ポンプによってノズルケース内に吐出される汚水に、ノズルケース内に供給される空気が混合されて、ディフューザーを介して汚水内に拡散させるようになった曝気装置と、この曝気装置を上下方向に沿って案内するように、汚水槽内に上下方向に沿って配置されたガイドパイプと、このガイドパイプの下端部を支持するように汚水槽の底部に配置されており、前記曝気装置のノズルケースが据え付けられる据付台とを具備し、前記ガイドパイプは、内部を空気が通流するように構成されており、そのガイドパイプ内を通流する空気が、前記据付台に設けられた通気路を介して、据付台に据え付けられた曝気装置のノズルケース内に供給されるようになっていることを特徴とする。
【０００７】
【発明の実施の形態】
以下、本発明の実施の形態を、図面に基づいて詳細に説明する。
【０００８】
図１は、本発明の曝気システムの実施の形態の一例を示す側面図、図２は、その曝気システムの平面図である。この曝気システムは、汚水槽２１内に配置される曝気装置１０を有している。曝気装置１０は、汚水槽２１内に垂直に配置された一対のガイドパイプ２２に沿って昇降されるようになっている。各ガイドパイプ２２の下端部は、汚水槽２１の底部に設置された据付台２３に支持されており、各ガイドパイプ２２に沿って曝気装置１０が汚水槽２１内を下降されることにより、曝気装置１０は据付台２３に据え付けられる。
【０００９】
曝気装置１０には、水中ポンプ１１が設けられている。この水中ポンプ１１は、下部のポンプケーシング１１ｂ上にモーター１１ａが配置されており、ポンプケーシング１１ｂの内部に、モーター１１ａによって回転される羽根車が配置されている。モーター１１ａによって羽根車が回転すると、ポンプケーシング１１ｂの底面に設けられた吸引口から汚水がポンプケーシング１１ｂ内に吸引されて、ポンプーケーシング１１ｂの側面に設けられた吐出口１１ｃから水平方向に吐出される。
【００１０】
ポンプケーシング１１ｂの吐出口１１ｃには、汚水槽２１の底部に設けられた据付台２３に据え付けられるノズルケース１２が取り付けられており、このノズルケース１２にディフューザー１３が水平に取り付けられている。
【００１１】
ノズルケース１２の各側部には、汚水槽２１内に垂直に配置された各ガイドパイプ２２に対してスライド可能に嵌合するスライド部１２ａがそれぞれ設けられており、スライド部１２ａが各ガイドパイプ２２に沿ってスライドされることにより、曝気装置１０全体が各ガイドパイプ２２に沿って昇降されるようになっている。
【００１２】
各ガイドパイプ２２の上端部は、汚水槽２１の側面に取り付けられた水平な支持フレーム２５によって支持されている。一方のガイドパイプ２２は、中空になっており、その上端部には、給気管２４（図２参照）が連結されている。給気管２４には、地表の空気が流入するようになっており、吸気管２４内に流入した空気は、一方のガイドパイプ２２内を通流するようになっている。
【００１３】
図３は、図１のＡ−Ａ線における断面図である。各ガイドパイプ２２の下端部をそれぞれ支持する据付台２３の内部には、中空になった一方のガイドパイプ２２の内部に連通する通気路２３ａが形成されている。この通気路２３ａは、据付台２３の内部をＵ字状に通過しており、各ガイドパイプ２２間に位置する据付台２３の上面から上方に突出した排気口２３ｂに通じている。この排気口２３ｂは、曝気装置１０のノズルケース１２が据付台２３に据え付けられた際に、ノズルケース１２の底面に設けられた吸気口１２ｂ内に嵌合するようになっている。
【００１４】
このような構成の曝気システムでは、汚水槽２１内に曝気装置１０を据え付ける際には、ノズルケース１２の各側部に設けられたスライド部１２ａが、各ガイドパイプ２２に嵌合されて、水中ポンプ１１がチェーンによって吊り下げられた状態とされて、曝気装置１０全体が各ガイドパイプ２２に沿って下降される。曝気装置１０が各ガイドパイプ２２に沿って下降されると、ノズルケース１２の底面に設けられた吸気口１２ｂが、汚水槽２１の底面に設置された据付台２３の排気口２３ｂに嵌合される。これにより、ノズルケース１２が、据付台２３にて支持された状態になり、曝気装置１０は、ディフューザー１３がほぼ水平な状態で、汚水槽２１の底部に据え付けられる。
【００１５】
この場合、曝気装置１０には、給気ホース等が接続されていないために、各ガイドパイプ２２に沿って容易に下降させることができる。
【００１６】
このような状態で、水中ポンプ１１が駆動されると、ポンプケーシング１１ｂ内に吸引された汚水が、吐出口１１ｃを通って、ノズルケース１２内に吐出され、さらに、ノズルケース１２からディフューザー１３を通って汚水槽２１の汚水内に拡散される。このとき、ノズルケース１２内を汚水が通過することによって、ノズルケース１２の内部が負圧になると、ノズルケース１２の内部と、据付台２３の通気路２３ａおよび中空になった一方のガイドパイプ２２を介して連通状態になった給気管２４内に空気が流入し、この空気が、ノズルケース１２内を通過する汚水に混合される。そして、空気が混合された汚水が、ディフューザー１３によって、汚水槽２１内の汚水に拡散される。これにより、汚水槽２１内の汚水が曝気処理される。
【００１７】
曝気装置１０のメンテナンス等に際しては、曝気装置１０が各ガイドパイプ２２に沿って引き上げられる。この場合も、曝気装置１０には給気ホース等が接続されていないために、容易に引き上げることができる。
【００１８】
【発明の効果】
本発明の曝気システムは、このように、曝気装置に対する空気の供給が、曝気装置を昇降する際の案内となるガイドパイプを利用して行われるようになっているために、曝気装置をガイドパイプに沿って容易に昇降させることができ、従って、異物の詰まり除去等のメンテナンスが容易にできる。
【図面の簡単な説明】
【図１】本発明の曝気システムの実施の形態の一例を示す側面図である。
【図２】その曝気システムの平面図である。
【図３】図１のＡ−Ａ線における断面図である。
【符号の説明】
１０  曝気装置
１１  水中ポンプ
１１ａ  モーター
１１ｂ  ポンプケーシング
１１ｃ  吐出口
１２  ノズルケース
１２ａ  スライド部
１２ｂ  吸気口
１３  ディフューザー
２１  汚水槽
２２  ガイドパイプ
２３  据付台
２３ａ  通気路
２３ｂ  排気口
２４  給気管
【図１】
0003907815.tif 000002
【図２】
0003907815.tif 000003
【図３】
0003907815.tif 000004